(57)【要約】【課題】可動体の周辺部分におけるスペース上の制約を小さくすることが可能な遊技機を提供する。【解決手段】所定方向（例えば左右方向）に移動可能な状態で支持された可動体３６ａ，３６ｂと、その可動体３６ａ，３６ｂを所定方向に駆動する駆動手段３８とを備え、可動体３６ａ，３６ｂにＬＥＤ基板等の電子部品７２を設けた遊技機で、駆動手段３８の駆動力を可動体３６ａ，３６ｂの一端側（例えば上端側）に伝達し、可動体３６ａ，３６ｂの他端側（例えば下端側）に、電子部品７２からのケーブル８２を引き出すケーブル引き出し部８５を設ける。【選択図】図５
2014236900.tif 000002
【特許請求の範囲】
【請求項１】
所定方向に移動可能な状態で支持された可動体と、
前記可動体を前記所定方向に駆動する駆動手段とを備え、
前記可動体に所定の電子部品を設けた
遊技機において、
前記駆動手段の駆動力を前記可動体の一端側に伝達する駆動伝達手段を備え、
前記可動体の他端側に、前記電子部品からのケーブルを引き出すケーブル引き出し部を設けた
ことを特徴とする遊技機。
【請求項２】
前記可動体を前記ケーブル引き出し部の近傍で前記所定方向に案内する案内手段を設けた
ことを特徴とする請求項１に記載の遊技機。
【請求項３】
前記可動体に、前記ケーブル引き出し部の近傍で前記ケーブルを固定するケーブル押さえ部材を着脱自在に装着し、
前記ケーブル押さえ部材に、前記案内手段によって案内される被案内部を設けた
ことを特徴とする請求項２に記載の遊技機。
【請求項４】
前記案内手段の近傍に設けたケーブル収容部内に、前記ケーブル引き出し部から引き出した前記ケーブルの一部を、前記可動体の動作に追従可能な状態に弛ませて収容した
ことを特徴とする請求項１〜３の何れかに記載の遊技機。
【発明の詳細な説明】
【技術分野】
【０００１】
本発明は、パチンコ機、アレンジボール機等の遊技機に関するものである。
【背景技術】
【０００２】
パチンコ機等の遊技機では、近年、画像による演出に機械的な動作を組み合わせてより演出効果を高めるべく、液晶表示手段の周辺部等に演出用の可動体を配置したものが主流となっている（例えば特許文献１）。
【０００３】
例えば特許文献１に記載のパチンコ機では、ステッピングモータ等の駆動手段が液晶表示手段の上側に配置されており、その駆動手段が例えば可動体の上端部側を駆動することにより、可動体は液晶表示手段の側方の退避位置と液晶表示手段の前側の作動位置との間で例えば左右方向に移動可能となっている。また、可動体にはＬＥＤ（電子部品）が装着された発光基板等が搭載されており、この発光基板からのケーブルは、可動体の駆動端側、即ち上端側から引き出され、液晶表示手段の上側に設けられたケーブル収容部内で可動体の動作に追従可能な程度に弛ませた上で、そのケーブル収容部から更に所定の基板に向けて配設されている。
【先行技術文献】
【特許文献】
【０００４】
【特許文献１】特開２０１１−９８１４６号公報
【発明の概要】
【発明が解決しようとする課題】
【０００５】
このように、従来のパチンコ機では、可動体からのケーブル引き出し部が駆動端側に設けられているため、可動体の一端側周辺に駆動手段、ケーブル収容部等を集中的に配置する必要があり、スペース上の制約が大きいという問題があった。
【０００６】
本発明は上記事情に鑑みてなされたものであり、可動体の周辺部分におけるスペース上の制約を小さくすることが可能な遊技機を提供することを目的とする。
【課題を解決するための手段】
【０００７】
本発明は、所定方向に移動可能な状態で支持された可動体３６ａ，３６ｂと、前記可動体３６ａ，３６ｂを前記所定方向に駆動する駆動手段３８とを備え、前記可動体３６ａ，３６ｂに所定の電子部品７２を設けた遊技機において、前記駆動手段３８の駆動力を前記可動体３６ａ，３６ｂの一端側に伝達する駆動伝達手段３９ａ，３９ｂを備え、前記可動体３６ａ，３６ｂの他端側に、前記電子部品７２からのケーブル８２を引き出すケーブル引き出し部８５を設けたものである。
【０００８】
また、前記可動体３６ａ，３６ｂを前記ケーブル引き出し部８５の近傍で前記所定方向に案内する案内手段４３を設けてもよい。この場合、前記可動体３６ａ，３６ｂに、前記ケーブル引き出し部８５の近傍で前記ケーブル８２を固定するケーブル押さえ部材７５を着脱自在に装着し、前記ケーブル押さえ部材７５に、前記案内手段４３によって案内される被案内部９２を設けてもよい。
【０００９】
また、前記案内手段４３の近傍に設けたケーブル収容部１０９内に、前記ケーブル引き出し部８５から引き出した前記ケーブル８２の一部を、前記可動体３６ａ，３６ｂの動作に追従可能な状態に弛ませて収容してもよい。
【発明の効果】
【００１０】
本発明によれば、駆動系と配線系の各スペースを可動体３６ａ，３６ｂの両端側に分散させることができ、可動体３６ａ，３６ｂの周辺部分におけるスペース上の制約を小さくすることが可能である。
【図面の簡単な説明】
【００１１】
【図１】本発明の一実施形態におけるパチンコ機の全体斜視図である。
【図２】同パチンコ機における遊技盤の正面図である。
【図３】同パチンコ機における中央表示装置を構成する裏構造体の正面図である。
【図４】同パチンコ機における中央表示装置を構成する裏構造体の上部側の分解斜視図である。
【図５】同パチンコ機における中央表示装置を構成する裏構造体の下部側の分解斜視図である。
【図６】同パチンコ機における中央表示装置を構成する裏構造体の上部側の分解斜視図である。
【図７】同パチンコ機における可動装置の駆動伝達手段と可動体の分解斜視図である。
【図８】同パチンコ機における可動体の分解斜視図である。
【図９】同パチンコ機における遊技盤の平面断面図である。
【図１０】同パチンコ機における遊技盤の平面断面図である。
【図１１】同パチンコ機における遊技盤の平面断面図である。
【図１２】同パチンコ機における遊技盤の平面断面図である。
【図１３】同パチンコ機における遊技盤の側面断面図である。
【図１４】同パチンコ機における遊技盤の側面断面図である。
【図１５】同パチンコ機における遊技盤の側面断面図である。
【発明を実施するための形態】
【００１２】
以下、本発明の実施形態を図面に基づいて詳述する。図１〜図１５は本発明をパチンコ機に採用した一実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。前面板５には、その前側に、発射手段（図示省略）に供給するための遊技球を貯留する貯留皿６、発射手段を作動させるための発射ハンドル７等が設けられている。
【００１３】
ガラス扉４の後側には図２に示す遊技盤１１が配置され、前枠３に対して着脱自在に装着されている。遊技盤１１の前面側には、発射手段から発射された遊技球を案内するガイドレール１２が環状に装着されると共に、そのガイドレール１２の内側の遊技領域１３に、中央表示装置１４、普通図柄始動手段１５、第１特別図柄始動手段１６、第２特別図柄始動手段１７、大入賞手段１８、普通入賞手段１９等の各種遊技部品が配置されている。普通図柄始動手段１５は遊技球が通過可能なゲート、第１特別図柄始動手段１６及び普通入賞手段１９は非開閉式の入賞手段、第２特別図柄始動手段１７及び大入賞手段１８は開閉式の入賞手段により構成されており、入賞手段１６〜１９に遊技球が入賞した場合には、それぞれ所定個数の賞球が払い出されるようになっている。
【００１４】
中央表示装置１４は、図２，図３等に示すように、遊技盤１１に対して前側から着脱自在に装着される前構造体２１と、液晶式その他の画像表示手段２２を備え且つ前構造体２１に対応して遊技盤１１の裏側に着脱自在に装着される裏構造体２３とを備えている。
【００１５】
前構造体２１は、図２に示すように、略中央に画像表示手段２２に対応する前表示窓２４が形成された表示枠２５、この表示枠２５の下部側に沿って左右方向に配置され且つ入球口２６に入球した遊技球を左右方向に転動させて前側に落下させるステージ２７等を備えると共に、普通図柄始動手段１５が遊技球を検出することを条件に普通図柄を変動表示する普通図柄表示手段２８、第１，第２特別図柄始動手段１６，１７の何れかに遊技球が入賞することを条件に特別図柄を変動表示する特別図柄表示手段２９等の各種表示手段が設けられている。なお、普通図柄が変動後に当たり態様で停止した場合には第２特別図柄始動手段１７が所定時間開放し、特別図柄が変動後に大当たり態様で停止した場合には大入賞手段１８が所定時間開放する。
【００１６】
また裏構造体２３は、図３〜図５等に示すように、前側が開放した略箱形に形成され且つその後壁３１の略中央に後表示窓３２が形成された裏ケース（ベース体）３３と、表示画面２２ａを後表示窓３２に略一致させた状態で裏ケース３３の背面側に着脱自在に固定される画像表示手段２２と、裏ケース３３の内側で後壁３１の前側に配置される可動装置３４とを備えており、前構造体２１の後側に対応するように遊技盤１１の裏側に位置決めされた状態で、裏ケース３３の前端側に複数設けられた固定フランジ３５においてねじ止め等により遊技盤１１の裏面に固定されている。
【００１７】
可動装置３４は、図３〜図８等に示すように、左右一対の可動体３６ａ，３６ｂと、これら可動体３６ａ，３６ｂを左右方向（所定方向の一例）に案内する案内手段３７と、可動体３６ａ，３６ｂを所定の原点位置を含む可動範囲内で左右方向に移動させる駆動手段３８と、この駆動手段３８による駆動力を可動体３６ａ，３６ｂの例えば上端側（一端側の一例）にそれぞれ伝達する駆動伝達手段３９ａ，３９ｂと、可動体３６ａ，３６ｂが原点位置にあることを検出する原点検出スイッチ４０と、駆動手段３８等を支持する駆動フレーム４１とを備えている。また、案内手段３７は、可動体３６ａ，３６ｂの上下両端側のうち、駆動手段３８による駆動端側、即ち上端側（一端側の一例）を案内する駆動側案内手段４２と、駆動手段３８による駆動端の反対側、即ち下端側（他端側の一例）を案内する非駆動側案内手段４３とで構成されている。
【００１８】
駆動フレーム４１は、図４，図６等に示すように、裏ケース３３の後壁３１と平行な横長略板状に形成されると共に、後向き膨出状のラック収容部４４が上下方向略中央に沿って横長状に形成されており、裏ケース３３内の上部に後表示窓３２の上縁に沿って配置され、裏ケース３３に対してねじ止め等により着脱自在に固定されている。なお、裏ケース３３の後壁３１には、駆動フレーム４１のラック収容部４４を収容するための膨出部４５が、画像表示手段２２の上縁に沿って設けられている。
【００１９】
駆動フレーム４１の前側下部には、駆動側案内手段４２を構成する例えば円形断面のガイドシャフト（シャフト）４６が、駆動フレーム４１との間に前後方向の隙間を挟んで左右方向に配置され、駆動フレーム４１の左右両端部に設けられた一対のシャフト端保持部４７ａ，４７ｂ、及び駆動フレーム４１の左右方向略中央に設けられたシャフト中央保持部４８とで保持されている。
【００２０】
駆動手段３８は、例えばステッピングモータにより構成されており、駆動フレーム４１の左右方向略中央で且つラック収容部４４の上側に例えば後向き凹入状に形成されたモータ装着部４９内に、駆動軸３８ａを下側に向けた状態でモータホルダ５０を介して装着、固定されている。駆動手段３８の駆動軸３８ａにはピニオンギヤ５１が固定されている。
【００２１】
モータホルダ５０は、図６等に示すように、駆動手段３８がねじ止め等により着脱自在に固定される略水平なモータ支持ベース５２、このモータ支持ベース５２の前縁側から例えば下向きに延設された前案内板５３、この前案内板５３の下端部に設けられたシャフト押さえ部５４、モータ支持ベース５２の後端部から例えば上向きに突設された左右一対の固定フランジ５５等を一体に備え、例えば左右の固定フランジ５５とシャフト押さえ部５４とにおいてねじ止め等により駆動フレーム４１に着脱自在に固定されている。
【００２２】
シャフト押さえ部５４は、例えば駆動フレーム４１の前側に一体に設けられたシャフト受け部５６と共にシャフト中央保持部４８を構成するもので、例えば前向きに開放する略Ｃ字状断面に形成されたシャフト受け部５６に嵌め込まれたガイドシャフト４６を前側から保持するようになっている。
【００２３】
駆動伝達手段３９ａは、駆動手段３８の駆動力を左可動体３６ａに伝達するもので、ピニオンギヤ５１に例えば前側から噛合する左右方向のラック５７ａと、ガイドシャフト４６上に左右方向移動可能な状態で装着される被案内部５８ａと、ラック５７ａの例えば左端側と被案内部５８ａとを例えば上下に連結する連結部５９ａとを一体に備えており、被案内部５８ａに左可動体３６ａの上端側（一端側）が固定されている。また駆動伝達手段３９ｂは、駆動手段３８の駆動力を右可動体３６ｂに伝達するもので、ピニオンギヤ５１に例えば後側から噛合する左右方向のラック５７ｂと、ガイドシャフト４６上に左右方向移動可能な状態で装着される被案内部５８ｂと、ラック５７ｂの例えば右端側と被案内部５８ｂとを例えば前後に連結する連結部５９ｂとを一体に備えており、被案内部５８ｂに右可動体３６ｂの上端側（一端側）が固定されている。なお、駆動伝達手段３９ｂ側のラック５７ｂは駆動フレーム４１のラック収容部４４内に配置されている。
【００２４】
このように、駆動伝達手段３９ａ側のラック５７ａと駆動伝達手段３９ｂ側のラック５７ｂとは一つのピニオンギヤ５１を挟んで前後に対向しており（図６，図９）、ピニオンギヤ５１が平面視反時計方向に回転すると、ラック５７ａを含む駆動伝達手段３９ａが右向きに、ラック５７ｂを含む駆動伝達手段３９ｂが左向きにそれぞれ同時に移動し、またピニオンギヤ５１が平面視時計方向に回転すると、ラック５７ａを含む駆動伝達手段３９ａが左向きに、ラック５７ｂを含む駆動伝達手段３９ｂが右向きにそれぞれ同時に移動するようになっている。
【００２５】
被案内部５８ａ，５８ｂは、図７，図１２，図１４等に示すように、ガイドシャフト４６に沿って左右方向に摺動する摺動部６０と、可動体３６ａ，３６ｂの上端側が固定される可動体固定部６１とを例えば上下に備えており、摺動部６０の上部側に連結部５９ａ，５９ｂが一体に連結されている。摺動部６０は、ガイドシャフト４６に対して後側から摺接する例えば断面コの字型のガイド溝６２と、そのガイド溝６２の例えば左右両側に設けられ且つガイドシャフト４６の前面側に摺接する断面略円弧状の前ガイド６３とを備えており、それらガイド溝６２と前ガイド６３との間にガイドシャフト４６が左右方向に挿通している。また可動体固定部６１には、前後方向の前挿通孔６１ａが例えば複数（ここでは左右両端側に２つ）設けられている。
【００２６】
また、駆動伝達手段３９ａ，３９ｂのラック５７ａ，５７ｂは、ピニオンギヤ５１との噛合部近傍に設けられた噛合案内部６４ａ，６４ｂにより、ピニオンギヤ５１との噛合状態が保持された状態で左右方向に案内されている。即ち、駆動フレーム４１上には、図６，図１３等に示すように、例えば駆動軸３８ａの下側に対応して前後方向に設けられ且つラック５７ａ，５７ｂに対して下側から当接又は近接するようにラック収容部４４の底面側から上向きに突出する下突条部６５と、その下突条部６５の後端側から上向きに延設され且つラック５７ｂに対して後側から当接又は近接するようにラック収容部４４の背面側から前向きに突出する縦突条部６６と、その縦突条部６６の上端側から前向きに延設され且つラック５７ｂに対して上側から当接又は近接するようにラック収容部４４の上面側から下向きに突出する上突条部６７とが例えば一体に設けられている。また、モータホルダ５０のモータ支持ベース５２は、その下面側がラック５７ａの上側に当接又は近接しており、更にモータホルダ５０の前案内板５３は、その背面側がラック５７ａの前側に当接又は近接している。
【００２７】
即ち図１３に示すように、ラック５７ａを案内する噛合案内部６４ａは、上突条部６７の前部、モータホルダ５０の前案内板５３及びモータ支持ベース５２により後向きに開放する断面略コの字型に形成され、ラック５７ｂを案内する噛合案内部６４ｂは、上突条部６７の後部、縦突条部６６及び上突条部６７により前向きに開放する断面略コの字型に形成されている。これら噛合案内部６４ａ，６４ｂについても、ガイドシャフト４６と同様、可動体３６ａ，３６ｂの上端側を左右方向に案内する駆動側案内手段４２を構成している。
【００２８】
また、駆動伝達手段３９ａ，３９ｂは、それぞれ原点位置側ストッパー６８ａ，６８ｂと、動作位置側ストッパー６９ａ，６９ｂとの間が可動領域となっている。即ち、原点位置側ストッパー６８ａ，６８ｂと動作位置側ストッパー６９ａ，６９ｂは、駆動伝達手段３９ａ，３９ｂの可動領域を所定の原点位置と最大動作位置との間に制限することにより、間接的に可動体３６ａ，３６ｂの可動領域を所定範囲に制限している。なお、駆動伝達手段３９ａ，３９ｂと可動体３６ａ，３６ｂとは一体的に動作するため、駆動伝達手段３９ａ，３９ｂが原点位置にあるときには可動体３６ａ，３６ｂも原点位置にあり、駆動伝達手段３９ａ，３９ｂが最大動作位置にあるときには可動体３６ａ，３６ｂも最大動作位置にある。
【００２９】
原点位置側ストッパー６８ａ，６８ｂは、図４，図６等に示すように、それぞれガイドシャフト４６の左右両端部近傍に対応して例えば駆動フレーム４１の前側に一体に設けられており、駆動伝達手段３９ａ，３９ｂがそれぞれガイドシャフト４６の端部側の原点位置にきたとき、例えば被案内部５８ａ，５８ｂの左右一端側に当接してその移動を阻止するようになっている。なお、駆動伝達手段３９ａ，３９ｂが原点位置にあるとき、駆動伝達手段３９ａ，３９ｂの何れか一方、例えば駆動伝達手段３９ａに設けられた被検出部４０ａが原点検出スイッチ４０により検出されるようになっている。原点検出スイッチ４０は、例えば透過型フォトセンサにより構成され、例えばガイドシャフト４６の一端側に対応して駆動フレーム４１の前側に装着されている。
【００３０】
また、動作位置側ストッパー６９ａ，６９ｂは、図４，図６，図１２等に示すようにそれぞれ原点位置側ストッパー６８ａ，６８ｂよりもガイドシャフト４６の中央側に配置されており、駆動伝達手段３９ａ，３９ｂがそれぞれ原点位置よりも左右方向中央寄りの最大動作位置にきたとき、例えば被案内部５８ａ，５８ｂの左右他端側に当接してその移動を阻止するようになっている。動作位置側ストッパー６９ａ，６９ｂは、例えば駆動フレーム４１ではなく裏ケース（ベース体）３３に一体に設けられている。即ち、動作位置側ストッパー６９ａ，６９ｂは、裏ケース３３の後壁３１から前向きに突設され、その先端側が駆動フレーム４１に形成された開口部７０ａ，７０ｂを経てガイドシャフト４６の後部に当接又は近接している。
【００３１】
これにより、例えば動作位置側ストッパー６９ａ，６９ｂを設けない裏ケース３３を用いるだけで、可動装置３４側は何ら変更することなく、動作位置側ストッパー６９ａ，６９ｂを設けない仕様に変更することが可能である。また、例えば動作位置側ストッパー６９ａ，６９ｂの位置が異なる裏ケース３３に変更することで可動装置３４側を変更することなく動作位置側ストッパー６９ａ，６９ｂの位置を変更することも可能であるが、この場合には、駆動フレーム４１側の開口部７０ａ，７０ｂの大きさを動作位置側ストッパー６９ａ，６９ｂの位置変更が可能な長孔状に形成するなどの対応が必要である。もちろん、動作位置側ストッパー６９ａ，６９ｂを駆動フレーム４１上に設けてもよい。
【００３２】
なお、原点位置側ストッパー６８ａ，６８ｂを裏ケース３３側に設ければ、可動装置３４側は何ら変更することなく、裏ケース３３を変更するだけで、原点位置側ストッパー６８ａ，６８ｂを設けない仕様に変更することが可能であり、更に原点検出スイッチ４０も裏ケース３３側に設ければ、可動装置３４側は何ら変更することなく、裏ケース３３を変更するだけで原点位置を変更することが可能となる。
【００３３】
可動体３６ａ，３６ｂは、図７，図８等に示すように、それぞれ可動本体部７１と、その可動本体部７１の後部側に配置されるＬＥＤ基板７２と、可動本体部７１とＬＥＤ基板７２との間に配置される区画部材７３と、可動本体部７１の下端側に例えば一体に設けられたケーブルガイド７４と、そのケーブルガイド７４に装着されるケーブル押さえ部材７５とを備え、その上端部が、可動体連結部材７６を介して駆動伝達手段３９ａ，３９ｂに固定されることにより、駆動手段３８の駆動により駆動伝達手段３９ａ，３９ｂと共に左右方向に移動可能となっている。
【００３４】
可動本体部７１は、例えば表示画面２２ａと略平行に形成され且つ任意の装飾が施された前装飾板７７と、その前装飾板７７の外縁に沿って設けられた後向き一定幅の外周板７８とを一体に備え、その上端部近傍に、可動体連結部材７６を介して駆動伝達手段３９ａ，３９ｂに固定するための後挿通孔７９が、可動体固定部６１の前挿通孔６１ａに対応して例えば複数（ここでは左右両端側に２つ）形成されている。
【００３５】
ここで、可動体連結部材７６は、図７，図１４等に示すように、可動体固定部６１を前側から略覆う大きさに形成された例えば板状の連結カバー８０と、この連結カバー８０の背面側から後向きに突設された複数（ここでは左右一対）の連結ボス部８１とを一体に備えている。そして、その連結ボス部８１を前挿通孔６１ａと後挿通孔７９とに前側から挿通させ、連結カバー８０と可動本体部７１とで可動体固定部６１を前後に挟み込んだ状態で、連結ボス部８１を可動本体部７１の背面側にねじ止めすることにより、可動体３６ａ，３６ｂは可動本体部７１の上端部側でそれぞれ駆動伝達手段３９ａ，３９ｂに連結されている。
【００３６】
なお、可動体３６ａ側の可動本体部７１と右可動体３６ｂ側の可動本体部７１とは例えば正面視略左右対称で、例えば左右方向外側に膨らむ太幅略円弧状となっており、図３に二点鎖線で示す原点位置ではそれぞれ表示画面２２ａの左右両側に退避し、図２，図３に実線で示す最大動作位置では表示画面２２ａの前側でその表示画面２２ａの少なくとも一部に対する遊技者の視線を遮るようになっている。なお、本実施形態では、可動体３６ａ，３６ｂが最大動作位置にきたとき、可動本体部７１，７１の上端部側が互いに当接又は近接し、表示画面２２ａの中央部分を残してその外側の略全体を前側から覆うようになっている。
【００３７】
ＬＥＤ基板７２は、例えば可動本体部７１に略対応する形状に形成されると共に、その前面側に多数のＬＥＤ（電子部品の一例）７２ａが配置されており、可動本体部７１内の後部側にねじ止め等により着脱自在に装着されている。なお、フラットケーブル（ケーブル）８２を接続するための基板側コネクタ８３は、図８に示すようにＬＥＤ基板７２の下端側の裏面に沿って例えば下向きに設けられている。
【００３８】
区画部材７３は、可動本体部７１内を複数の発光室８４に区画するためのもので、図７等に示すように可動本体部７１の前装飾板７７とＬＥＤ基板７２との間に配置されており、例えば前後方向所定幅の区画壁７３ａが、前装飾板７７の前側の装飾等に合わせて複数の発光室８４をそれぞれ取り囲むように前装飾板７７の背面側に沿って配置されている。なお、区画部材７３は例えば透光性を有しない（又は透光性が極めて低い）合成樹脂により形成されており、またＬＥＤ基板７２上のＬＥＤ７２ａは各発光室８４に対してそれぞれ１又は複数配置されている。
【００３９】
ケーブルガイド７４は、ＬＥＤ基板７２に接続されたフラットケーブル８２をケーブル引き出し部８５まで案内するもので、図７，図８等に示すように、例えば基板側コネクタ８３の下側に対応して可動本体部７１の下端部から例えば下向きに突設されている。このケーブルガイド７４は、前装飾板７７と略平行な縦長板状に形成された前壁部８６と、この前壁部８６の左右両縁部に沿って配置される後向き一定幅の側壁部８７と、前壁部８６の下縁部に沿って配置される底壁部８８とを一体に備えている。
【００４０】
左右の側壁部８７間の距離はフラットケーブル８２の幅と略同じで、またそれら一対の側壁部８７のうちの一方、例えば左右方向の外側（左可動体３６ａのケーブルガイド７４では左側、右可動体３６ｂのケーブルガイド７４では右側）の側壁部８７の例えば下端部には、フラットケーブル８２の幅と同程度の上下方向幅に形成された切り欠き状のケーブル引き出し部８５が形成されている。また、底壁部８８上には例えばその左右方向略中央に前後方向の係合溝８８ａが形成されている。
【００４１】
基板側コネクタ８３に接続されたフラットケーブル８２は、図８に二点鎖線で示すようにケーブルガイド７４の裏側に沿って下向きに配設され、そのケーブルガイド７４の下端部で直角に折り曲げられてケーブル引き出し部８５から横向きに引き出されるようになっている。
【００４２】
ケーブル押さえ部材７５は、フラットケーブル８２をケーブルガイド７４上に固定するためのもので、図７，図８，図１１，図１５等に示すように、例えばケーブルガイド７４側の前壁部８６の後側に対向する後壁部８９と、この後壁部８９の外縁に沿って配置される前向き一定幅の周壁部９０と、後壁部８９の前面側に上下方向に設けられた前向き突出状の突条部９１と、後壁部８９の左右両側に沿って前後方向に突設された一対の被案内部９２と、周壁部９０の下部側からケーブルガイド７４側の係合溝８８ａに対応して前向き突出状に形成された係合爪９３と、後壁部８９の上部側に形成された例えば左右一対の固定部９４とを一体に備えており、係合溝８８ａに沿って係合爪９３をケーブルガイド７４の下端部前側に係合させ、固定部９４を可動本体部７１側のボス部９５にねじ止めすることによりケーブルガイド７４の後側に着脱自在に固定されている。
【００４３】
ケーブル押さえ部材７５がケーブルガイド７４に装着されたとき、フラットケーブル８２はケーブル押さえ部材７５側の突条部９１とケーブルガイド７４側の前壁部８６とで前後に挟持されて固定される（図１５参照）。また、一対の被案内部９２は、例えばケーブルガイド７４側の側壁部８７の外面側に沿う前後方向の板状に形成され、例えばケーブル引き出し部８５の上側に配置されており、図１１等に示すようにその前縁側はケーブルガイド７４の前面側よりも前側に突出して前部被案内部９６を構成し、また後縁側はケーブル押さえ部材７５の背面側よりも後側に突出して後部被案内部９７を構成している。
【００４４】
また、裏ケース３３内には、可動体３６ａ，３６ｂの下端側に対応してそれぞれ配線カバー（装着部材）１０１ａ，１０１ｂが着脱自在に装着されている。この配線カバー１０１ａ，１０１ｂは、図５，図１０，図１１，図１５等に示すように、可動体３６ａ，３６ｂの各ケーブルガイド７４の移動軌跡に沿ってその前側に配置された横長状の前面板１０２と、この前面板１０２の下縁部から前向きに延設され且つケーブルガイド７４の移動軌跡に沿ってその下側に配置された底面板１０３と、前面板１０２の左右方向両縁部から底面板１０３の縁部に沿って後向きに延設された一対の側面板１０４と、例えば側面板１０４の左右方向外側に配置された固定フランジ１０５とを一体に備え、裏ケース３３の後壁３１に設けられたボス部１０６に固定フランジ１０５をねじ止めすることにより後壁３１の前側に着脱自在に装着されている。
【００４５】
配線カバー１０１ａ，１０１ｂの前面板１０２上には、例えばその上縁部に沿って、可動体３６ａ，３６ｂが移動する際にその前部被案内部９６、即ち被案内部９２の前縁側が略摺接する前部摺動レール（摺動レール，第２案内部）１０７が後向き突出状に一体形成されている。また、裏ケース３３の後壁３１上には、前部摺動レール１０７に対向するように、可動体３６ａ，３６ｂが移動する際にその後部被案内部９７、即ち被案内部９２の後縁側が略摺接する後部摺動レール（摺動レール，第１案内部）１０８が前向き突出状に一体形成されている。このように、裏ケース（ベース体）３３上の後部摺動レール（第１案内部）１０８と、配線カバー１０１ａ，１０１ｂ上の前部摺動レール（第２案内部）１０７とは、可動体３６ａ，３６ｂ上の被案内部９２の移動経路を挟んで対向しており、これら後部摺動レール１０８と前部摺動レール１０７とが、可動体３６ａ，３６ｂの下端側を左右方向に案内する非駆動側案内手段４３を構成している。
【００４６】
また、裏ケース３３の後壁３１の前側で且つ配線カバー１０１ａ，１０１ｂ内の領域はケーブル収容部１０９となっており、ケーブル引き出し部８５から左右方向に引き出されたフラットケーブル８２は、図１０に示すように可動体３６ａ，３６ｂの動作に追従可能となるようにケーブル収容部１０９内で平面視略Ｕ字状に弛ませたあと、例えば後壁３１上に設けられた配線孔１１０から後向きに引き出されている。なお、ケーブル収容部１０９は、例えば後部摺動レール１０８の下側で後向き膨出状に形成されている。
【００４７】
このように、可動体３６ａ，３６ｂのケーブル引き出し部８５を、駆動手段３８に駆動される上端側ではなくその反対側の下端側に設けていることにより、駆動系と配線系の各スペースを可動体３６ａ，３６ｂの上下両端側に分散させることができ、可動体３６ａ，３６ｂの周辺部分におけるスペース上の制約を小さくできるという利点がある。
【００４８】
以上のような可動装置３４の動作について簡単に説明する。可動体３６ａ，３６ｂは、通常状態では原点検出スイッチ４０がＯＮとなる原点位置（図３に二点鎖線で示す）に保持されている。このとき、可動体３６ａ，３６ｂは表示画面２２ａの左右両側に退避し、表示画面２２ａの略全体が前側から視認可能な状態となっている。
【００４９】
遊技中の所定のタイミングで例えば主制御基板から演出制御基板に対して可動演出コマンド等が送信されると、演出制御基板側の駆動制御手段が、可動体３６ａ，３６ｂを所定の動作パターンに従って動作させて再び原点位置まで戻すように駆動手段３８の駆動制御を行い、また発光制御手段が、その動作パターンに対応する発光パターンで可動体３６ａ，３６ｂ上のＬＥＤ７２ａの点灯制御を行う。
【００５０】
駆動制御手段の制御により駆動手段３８が正転方向に作動し、例えばピニオンギヤ５１が平面視反時計方向に回転すると、ラック５７ａを含む駆動伝達手段３９ａが右向きに、ラック５７ｂを含む駆動伝達手段３９ｂが左向きにそれぞれ同時に移動すると共に、原点検出スイッチ４０がＯＦＦとなる。このとき、ラック５７ａ，５７ｂは、駆動側案内手段４２を構成する断面略コの字型の噛合案内部６４ａ，６４ｂにより、ピニオンギヤ５１との噛合状態が保持された状態で左右方向に案内される（図１３等）。
【００５１】
そして、それら駆動伝達手段３９ａ，３９ｂにそれぞれ上端側が固定されている可動体３６ａ，３６ｂも、駆動伝達手段３９ａ，３９ｂと共に原点位置から表示画面２２ａの中央側に向けて移動する。このとき、可動体３６ａ，３６ｂの上端側は、駆動側案内手段４２を構成するガイドシャフト４６に沿って、駆動伝達手段３９ａ，３９ｂの被案内部５８ａ，５８ｂを介して左右方向に摺動し、可動体３６ａ，３６ｂの下端側は、ケーブル引き出し部８５の近傍に設けられた前後一対の被案内部９６，９７が、非駆動側案内手段４３を構成する前後一対の摺動レール１０７，１０８に沿って左右方向に摺動する。
【００５２】
可動体３６ａ，３６ｂが最大動作位置（図２，図３に実線で示す）まで移動して停止すると、表示画面２２ａは少なくとも一部が可動体３６ａ，３６ｂによって前側から覆われ、例えば表示画面２２ａの中央部分のみが前側から視認可能な状態となる。この状態から駆動手段３８が反転方向に作動し、例えばピニオンギヤ５１が平面視時計方向に回転すると、ラック５７ａを含む駆動伝達手段３９ａが左向きに、ラック５７ｂを含む駆動伝達手段３９ｂが右向きにそれぞれ同時に移動し、それに伴って可動体３６ａ，３６ｂは最大動作位置から原点位置に向けて移動する。そして、可動体３６ａ，３６ｂがそれぞれ原点位置に達したとき、原点検出スイッチ４０が再びＯＮになると共に、駆動手段３８による駆動が終了して可動体３６ａ，３６ｂは停止する。
【００５３】
以上説明したように、本実施形態のパチンコ機は、駆動手段３８の駆動力を可動体３６ａ，３６ｂの一端側に伝達する駆動伝達手段３９ａ，３９ｂを備え、可動体３６ａ，３６ｂの他端側に、ＬＥＤ基板７２からのフラットケーブル８２を引き出すケーブル引き出し部８５を設けているため、駆動系と配線系の各スペースを可動体３６ａ，３６ｂの上下両端側に分散させることができ、可動体３６ａ，３６ｂの周辺部分におけるスペース上の制約を小さくできる。
【００５４】
また、可動体３６ａ，３６ｂの下端側（他端側）を左右方向（所定方向）に案内する非駆動側案内手段４３を、可動体３６ａ，３６ｂの移動経路を挟んで対向する後部摺動レール（第１案内部）１０８と前部摺動レール（第２案内部）１０７とで構成し、後部摺動レール１０８を裏ケース（ベース体）３３に一体に設けているため、可動体３６ａ，３６ｂの周辺部分におけるスペース上の制約を更に小さくできる。
【００５５】
以上、本発明の実施形態について詳述したが、本発明はこれらの実施形態に限定されるものではなく、本発明の趣旨を逸脱しない範囲で種々の変更が可能である。例えば、実施形態では左右方向に移動可能な可動体３６ａ，３６ｂの上端側を駆動手段３８により駆動し、下端側にケーブル引き出し部８５を設けた例を示したが、例えば可動体の下端側を駆動し、上端側にケーブル引き出し部を設けてもよいし、上下方向に動作する可動体の左右方向一端側を駆動し、左右方向他端側にケーブル引き出し部を設けてもよい。即ち、可動体の一端側を駆動し、他端側にケーブル引き出し部を設けた構成であればよい。なお、可動体は所定方向に平行移動するものに限らず、例えばその一端側を中心に回転又は揺動するものであってもよい。
【００５６】
実施形態では一つの駆動手段３８によって二つの可動体３６ａ，３６ｂを同時に駆動するように構成したが、一つの駆動手段によって三つ以上の可動体を同時に駆動するように構成してもよいし、一又は複数の可動体を一又は複数の駆動手段によって個別に駆動するように構成してもよい。
【００５７】
可動体上には、ＬＥＤ７２ａの他、非接触センサ等の検出手段、電磁ソレノイド等の駆動手段等の任意の電子部品を搭載可能である。また駆動手段は可動体の一端側を駆動するように構成すればよく、可動体を駆動するステッピングモータ等の駆動手段を可動体上に配置してもよい。
【００５８】
ケーブル引き出し部８５からのケーブル８２の引き出し方向は任意であり、例えばケーブル引き出し部８５をケーブルガイド７４の下端部に下向きに設け、フラットケーブル８２をその幅方向が前後に向くようにケーブル引き出し部８５から下向きに引き出すと共に、正面視Ｕ字状に弛ませた状態でケーブル収容部１０９内に収容してもよい。
【００５９】
可動体側の被案内部、及びその被案内部を所定方向に案内する案内手段の構成は任意であり、例えば被案内部又は案内手段をコロにより構成し、案内手段又は被案内部を、コロが転動可能な転動案内部により構成してもよい。
【００６０】
また本発明は、アレンジボール機、雀球遊技機等の他の弾球遊技機はもちろん、スロットマシン等の各種遊技機において同様に実施することが可能である。
【符号の説明】
【００６１】
３６ａ  左可動体（可動体）
３６ｂ  右可動体（可動体）
３８    駆動手段
７２    ＬＥＤ基板（電子部品）
３９ａ  駆動伝達手段
３９ｂ  駆動伝達手段
８２    フラットケーブル（ケーブル）
８５    ケーブル引き出し部
４３    非駆動側案内手段（案内手段）
７５    ケーブル押さえ部材
９２    被案内部
１０９    ケーブル収容部
【図１】
2014236900.tif 000003
【図２】
2014236900.tif 000004
【図３】
2014236900.tif 000005
【図４】
2014236900.tif 000006
【図５】
2014236900.tif 000007
【図６】
2014236900.tif 000008
【図７】
2014236900.tif 000009
【図８】
2014236900.tif 000010
【図９】
2014236900.tif 000011
【図１０】
2014236900.tif 000012
【図１１】
2014236900.tif 000013
【図１２】
2014236900.tif 000014
【図１３】
2014236900.tif 000015
【図１４】
2014236900.tif 000016
【図１５】
2014236900.tif 000017